(57)【要約】【課題】点光源群の正反射像が点列状になることを抑えると共に、小型化された導光体、原稿照明装置、及び画像読取装置を提供する。【解決手段】点光源群から出射する光束群を導光する導光体であって、前記導光体は、前記点光源群の配列方向に周期的に配置され、前記光束群を正反射及び集光する曲面反射面群を有し、前記曲面反射面群が形成する正反射像面における前記点光源群の１光源あたりの正反射像の幅をｗとし、前記点光源群の配列ピッチをｑとしたときに、以下の式を満たすことを特徴とする。０．７＜ｗ／ｑ＜１．３【選択図】図１
2014175762.tif 000002
【特許請求の範囲】
【請求項１】
点光源群から出射する光束群を導光する導光体であって、
前記導光体は、前記点光源群の配列方向に周期的に配置され、前記光束群を正反射及び集光する曲面反射面群を有し、
前記曲面反射面群が形成する正反射像面における前記点光源群の１光源あたりの正反射像の幅をｗとし、前記点光源群の配列ピッチをｑとしたときに、
以下の式を満たすことを特徴とする導光体。
０．７＜ｗ／ｑ＜１．３
【請求項２】
０．７＜ｗ／ｑ＜１もしくは１＜ｗ／ｑ＜１．３を満たすことを特徴とする請求項１に記載の導光体。
【請求項３】
前記点光源群の配列方向に垂直な断面内において、前記曲面反射面群は前記点光源群から出射する光束に対して角度を成していることを特徴とする請求項１または２に記載の導光体。
【請求項４】
前記曲面反射面群における各々の曲面の、配列ピッチをｐ、曲率半径をＲ、とし、
前記曲面反射面群が前記点光源群から出射する光束に対して成す角度をγ、
前記点光源群から前記曲面反射面群までの距離をｄ、
としたときに、
以下の式を満たすことを特徴とする請求項３に記載の導光体。
ｗ＝２ｄｐｃｏｓγ／Ｒ
【請求項５】
前記点光源群から前記曲面反射面群までの距離ｄが以下の式を満たすことを特徴とする請求項４に記載の導光体。
０．６ｑ＜ｄ＜１６
【請求項６】
前記曲面反射面群が前記点光源群から出射する光束に対して成す角度は全反射角より小さく、反射率が７０％以上の金属薄膜が前記曲面反射面群に設けられていることを特徴とする請求項３乃至５のいずれか１項に記載の導光体。
【請求項７】
前記点光源群からの光束が入射する入射部と、前記点光源群からの光束が出射する出射部と、前記曲面反射面群と、を一体として備えたことを特徴とする請求項１乃至６のいずれか1項に記載の導光体。
【請求項８】
前記点光源群からの光束が入射する入射部と、前記点光源群からの光束が出射する出射部と、は前記曲面反射面群の位置で兼用され、前記点光源群からの光束が空気層を介して前記曲面反射面群に導光されることを特徴とする請求項１乃至７のいずれか1項に記載の導光体。
【請求項９】
前記曲面反射面群は、全反射面であることを特徴とする請求項１乃至８のいずれか１項に記載の導光体。
【請求項１０】
前記点光源群の配列方向の少なくとも中央領域において、前記式を満たすことを特徴とする請求項１乃至９のいずれか１項に記載の導光体。
【請求項１１】
前記正反射像面において、前記点光源群の配列方向のコントラストは１５％以下であることを特徴とする請求項１乃至１０のいずれか１項に記載の導光体。
【請求項１２】
請求項１乃至１１のいずれか１項に記載の導光体と、前記点光源群と、を備えた原稿照明装置。
【請求項１３】
請求項１２に記載の原稿照明装置と、前記原稿照明装置により照明された原稿の原稿面で反射した読取光束を受光する読取手段と、前記読取光束を前記読取手段に集光する結像光学系と、を有する画像読取装置。
【発明の詳細な説明】
【技術分野】
【０００１】
本発明は、導光体および原稿照明装置並びに画像読取装置に関するものである。
【背景技術】
【０００２】
従来、イメージスキャナー、複写機、ファクシミリなど、線順次方式で原稿の画像読取りを行う画像読取装置において、蛍光灯などの線状光源により原稿を照明する原稿照明装置が知られている。このような従来の画像読取装置において、光沢性を持つ原稿（光沢原稿）が原稿台上でカール（湾曲）して置かれている場合、その湾曲した部分で表面反射した光により、図１５（ａ）に示すような直線状の明るい正反射像が形成される。
【０００３】
一方で、蛍光灯に比べて消費電力及び発熱量が小さく、光源の立ち上がりスピードが速いＬＥＤアレイを光源として用いた原稿照明装置が普及しつつある。しかしながら、ＬＥＤアレイは点光源群であるため、ＬＥＤアレイからの光束が原稿の湾曲部分で反射して形成する正反射像は、図１５（ｂ）に示すような点列状の像となる。このような点列状の正反射像が読取画像中に現れた場合、直線状の正反射像と比較して、使用者が不快と感じてしまうことがある。
【０００４】
そこで、特許文献１では、複数の点光源の配列方向に周期的に複数の光学面（シリンダアレイ）を備え、各光学面に配列方向のパワー（屈折力）を持たせた構成が開示されている。この構成によれば、点光源群からの光の利用効率を高くすると共に、図１５（ｃ）に示すように、個々の光源が形成する正反射像の幅を広くして直線状の像に近づけることができる。
【先行技術文献】
【特許文献】
【０００５】
【特許文献１】特開２００９−８０１７３号公報
【発明の概要】
【発明が解決しようとする課題】
【０００６】
しかしながら、特許文献１には、点列状の正反射像の問題を更に緩和する、並びに画像読取装置を小型化する、という改善の余地があった。一般的な画像読取装置の副走査方向の幅は８０ｍｍ前後であるが、特許文献１に記載の装置は、その約１／４（２０ｍｍ）が導光体で占められている。また、読取スリットの両側から原稿を照明する構成においては、副走査方向の幅の１／２（４０ｍｍ）が導光体で占められることになる。さらにスリット幅（８ｍｍ程度）や、光源及び基板の幅（片側１２ｍｍ程度）を考慮すると、これらの部材でほぼ９割が占められてしまう。
【０００７】
そこで、本発明の目的は、点光源群の正反射像が点列状になることを抑えると共に、小型化された導光体、原稿照明装置、及び画像読取装置を提供することにある。
【課題を解決するための手段】
【０００８】
上記目的を達成するため、本発明に係る導光体は、点光源群から出射する光束群を導光する導光体であって、前記導光体は、前記点光源群の配列方向に周期的に配置され、前記光束群を正反射及び集光する曲面反射面群を有し、前記曲面反射面群が形成する正反射像面における前記点光源群の１光源あたりの正反射像の幅をｗとし、前記点光源群の配列ピッチをｑとしたときに、以下の式を満たすことを特徴とする。
０．７＜ｗ／ｑ＜１．３
【発明の効果】
【０００９】
本発明によれば、点光源群の正反射像が点列状になることを抑えると共に、小型化された導光体、原稿照明装置、及び画像読取装置を提供することができる。
【図面の簡単な説明】
【００１０】
【図１】（ａ）は本発明の第１の実施形態に係る導光体を示す斜視図、（ｂ）は点光源群の1光源による曲面反射面群の結像面における正反射像の幅Ｗに関する説明図、（ｃ）は曲面反射面群が点光源群に対して成す角度γに関する説明図である。
【図２】第１の実施形態に係る導光体を用いた原稿照明装置を示す断面図である。
【図３】第１の実施形態に係る正反射像を示す図である。
【図４】（ａ）乃至（ｄ）は第１の実施形態に係る正反射像の分布を示す図である。
【図５】第１の実施形態に係る導光体を用いた画像読取装置を示す断面図である。
【図６】本発明の第２の実施形態に係る導光体を示す斜視図である。
【図７】第２の実施形態に係る導光体を用いた原稿照明装置を示す断面図である。
【図８】第２の実施形態に係る正反射像を示す図である。
【図９】（ａ）乃至（ｄ）は第２の実施形態に係る正反射像の分布を示す図である。
【図１０】本発明の第３の実施形態に係る導光体を示す斜視図である。
【図１１】第３の実施形態に係る導光体を用いた原稿照明装置を示す断面図である。
【図１２】第３の実施形態に係る正反射像を示す図である。
【図１３】（ａ）乃至（ｄ）は第３の実施形態に係る正反射像の分布を示す図である。
【図１４】第３の実施形態に係る導光体を用いた画像読取装置を示す断面図である。
【図１５】（ａ）乃至（ｃ）は従来技術における正反射像を示す図である。
【図１６】（ａ）乃至（ｄ）はシリンダアレイを用いない場合の従来技術における正反射像の分布を示す図である。
【図１７】（ａ）乃至（ｄ）はシリンダアレイを用いた場合の従来の正反射像を示す図である。
【発明を実施するための形態】
【００１１】
以下に、本発明の好ましい実施の形態を、添付の図面に基づいて詳細に説明する。
【００１２】
《第１の実施形態》
（画像読取装置）
図５に、本実施形態に係る導光体および原稿照明装置を用いた画像読取装置の副走査断面図を示す。ここで、本願明細書では、「主走査方向」、「副走査方向」、「主走査断面」、「副走査断面」を以下のように定義する。すなわち、主走査方向とは点光源群の配列方向であるＹ方向（第１の方向）、副走査方向とはＸ方向（第２の方向）、主走査断面とはＸＹ断面（第１の断面）、副走査断面とは点光源群の配列方向に垂直な断面であるＺＸ断面（第２の断面）とする。
【００１３】
後に詳述する本実施形態に係る導光体を用いた原稿照明装置１０３から出射された照明光束は、ガラスでできた原稿台００１上に載置された原稿００２の原稿面を照明する。原稿面で反射した画像情報を有する読取光束は、複数の反射ミラー００５を介して結像光学系である結像レンズ１０６により、主走査方向（図５の紙面垂直方向）に配列されて光束を受光する読取手段としての一次元光電変換素子（ＣＣＤ）００７上に集光される。
【００１４】
そして、駆動装置００８により、キャリッジ１０４を図５の矢印で示す副走査方向に移動させながら、原稿００２の２次元画像を線順次読取方式で読み取っていく。読み取られた情報は、画像処理部００９を経て、次の工程に送られる。
【００１５】
（導光体および原稿照明装置）
図１乃至図４を用いて、本実施形態に係る導光体および原稿照明装置１０３を説明する。点光源群である複数のＬＥＤ（Ｌｉｇｈｔ  Ｅｍｉｔｔｉｎｇ  Ｄｉｏｄｅ）から出射される光束群を導光する本実施形態に係る導光体の材料はアクリル樹脂であり、射出成型によって形成している。図１、図２において、Ｙ方向は、点光源群である複数のＬＥＤ１０３ａが直線状に配列された配列方向であり、前述した主走査方向に一致する。また、Ｘ方向は、キャリッジ１０４が原稿台００１と相対的に移動する方向であり、前述した副走査方向である。なお、Ｘ方向及びＹ方向と直交する方向をＺ方向としている。
【００１６】
ここで、図１（ａ）（ｂ）（ｃ）で、点光源群である複数のＬＥＤ１０３ａからの光束を正反射して集光する曲面反射面群である反射面１０３ｃの配列周期（配列ピッチ）をｐ、反射面１０３ｃの主走査方向の曲率半径（主走査断面内における曲率半径）をＲとする。また、複数のＬＥＤ１０３ａの配列ピッチをｑ、複数のＬＥＤ１０３ａと反射面１０３ｃの間隔をｄ、複数のＬＥＤ１０３ａと反射面１０３ｃの成す角度をγとする。本実施形態における具体的な数値としては、ｐ＝０．６、ｑ＝８、Ｒ＝１．０、ｄ＝９．６５、γ＝５５°である。
【００１７】
図１（ａ）に示すように、主走査方向に配列された複数のＬＥＤ１０３ａは、導光体の入射面１０３ｂに配置される。複数のＬＥＤ１０３ａから発し、隣接する入射面１０３ｂから入射した複数の光束は、導光体の内部を通過して全反射面である反射面１０３ｃ上の各反射点で全反射し、導光体の出射面１０３ｄから原稿面に向けて出射する。反射面１０３ｃの各々は、導光体１０３の外側に向かって凸の形状で主走査方向に正の屈折力を有するシリンダー面となっており、反射面１０３ｃの各々は、副走査方向の曲率半径（副走査断面内における曲率半径）が∞（副走査方向の屈折力はゼロ）となっている。
【００１８】
図２（ａ）は、本実施形態の原稿照明装置１０３の副走査断面図（Ｚ−Ｘ断面図）である。導光体の入射面１０３ｂから反射面１０３ｃまでの距離は９．６５ｍｍで、さらに反射面１０３ｃから原稿読取位置００１ａまでの距離は２０ｍｍである。なお、上述したように、曲面反射面１０３ｃが複数のＬＥＤ１０３ａに対して成す角度は５５°である。
【００１９】
（点光源群の正反射像）
本実施形態では、曲面反射面群である反射面１０３ｃにより形成される正反射像面において、点光源群である複数のＬＥＤ１０３ａの１光源あたりの正反射像の幅をＷ、複数のＬＥＤ１０３ａの配列ピッチをｑとしたとき、以下の式（１）を満たす。
【００２０】
０．７＜ｗ／ｑ＜１．３  ・・・（１）
上記式（１）は、本発明者の検討によって導かれたもので、中間項の式は１光源による正反射像の幅Ｗと光源の配列ピッチｑの比を表す。式（１）に関し、下限値を超えると点列状になり始め、上限値を超えると後述するように導光体の小型化が困難となる。
【００２１】
なお、０．７＜ｗ／ｑ＜１もしくは１＜ｗ／ｑ＜１．３を満たすものであっても良い。
【００２２】
ここで、上述した１光源あたりの正反射像の幅Ｗは、以下の式（２）で表されることとなる。
【００２３】
ｗ＝２ｄｐｃｏｓγ／Ｒ  ・・・（２）
この式（２）の導出は、以下の考え方に拠る。先ず、図１（ｂ）より、Ｗ／２＝ｄｔａｎθとなる。また、図１（ｃ）より、γ＝０の場合はｐ／２＝（Ｒ／２）ｔａｎαであることから、γ＝γの場合はｐｃｏｓγ／２＝（Ｒ／２）ｔａｎαとなる。少なくとも軸上では、θ≦αの関係が必要であるところ、θ＝αとすると、Ｗ／（２ｄ）＝ｐｃｏｓγ／Ｒとなることから、式（２）が導かれることが分かる。
【００２４】
本実施形態では、曲面反射面１０３ｃによる正反射像面において、正反射像は図３のようになり、点列状ではなく管状光源（線状光源）を用いたのに近い像となるので不快感が少なくできる。これを、図４を用いてより詳しく説明する。本実施形態では、図４（ａ）（ｂ）のようにＬＥＤ１個の正反射像が主走査方向に広がっており、これを８ｍｍピッチで配列すると、図４（ｃ）（ｄ）のようになり、正反射像が点列状になることを防ぐことができている。
【００２５】
ここで、図４（ｃ）（ｄ）は、図４（ａ）（ｂ）に示すグラフの最大輝度部を通る主走査断面図である。図４（ｄ）では、（Ｉｍａｘ−Ｉｍｉｎ）／（Ｉｍａｘ＋Ｉｍｉｎ）で表されるコントラストが大幅に小さくなることが示されている（コントラストは１２％）。
【００２６】
（比較例）
図１６は、特許文献１のシリンダーアレイが無い場合に、ＬＥＤを９ｍｍピッチで配列したときのＬＥＤ１個の正反射像をグラフ化したものであるが、図１５（ｂ）と対応する。図１６（ａ）（ｂ）両グラフの最大輝度部を通る主走査断面図が図１６（ｃ）（ｄ）であって、図１６（ｄ）からこの正反射像が強いコントラストを持っていることが明白であり、このコントラストが使用者の感じる不快感である。
【００２７】
コントラスト値は図中の式で表現されるが、ここでは１００％である。コントラストを小さくするためには、１光源の作る正反射像の主走査幅を広げることが必要であり、そのために反射面の主走査方向にシリンダーアレイを設ける。シリンダーアレイを設けると図１７（ａ）のようにＬＥＤ１個の正反射像が主走査方向に広げることができるから、これを９ｍｍピッチで配列すると、図１７（ｂ）のようになる。正反射像が点列状になることがやや緩和できるが、図１７（ｄ）に示すようにコントラストは３０％でまだ大きい。
【００２８】
（小型化）
本実施形態では、上記式（１）を満たすことで、図５に示すように、キャリッジ１０４（実線）が、従来技術によるキャリッジ（破線）に比べて、大幅に小型化できている。これは、原稿照明装置１０３の導光体が短縮された（ｄが小さくなった）ことで、原稿照明装置の占める体積が減少したことが第１の要因である。
【００２９】
また、光線が入射する副走査方向の位置が、原稿照明装置の小型化により自由度が増し、それによって、各部品の配置を最適化でき、より小型化することもできたことが第２の要因である。特に、反射ミラー００５のうち原稿から入射して最初に反射するミラーと、結像レンズ１０６を副走査方向にずらすことにより、互いの干渉を防ぎつつ装置の薄型化もできるようになった。
【００３０】
小型化に関し、より好ましくは、光源から曲面反射面群までの距離ｄが以下の式（３）を満たすようにすると良い。
【００３１】
０．６ｑ＜ｄ＜１６ ・・・（３）
上記式（２）も本発明者の検討によって導かれたもので、光源から反射面群の距離を更に規定している。下限値を超えると曲面反射面群上で到達する光束のムラが発生し、正反射像の破線を生じ易くなるために好ましくない。また、上限値を超えると従来技術について説明したように画像読取装置の小型化に不利となる。
【００３２】
以上、本実施形態では、正反射像が点列状になることを防ぎつつ小型化も達成している。
【００３３】
《第２の実施形態》
図６乃至図９を用いて、本実施形態の原稿照明装置２０３を説明する。本実施形態では、第1の実施形態に比べ、ＬＥＤアレイの配列ピッチｑを広げ、同じｄを維持している。図中の各符号で示される定数は、ｄ＝９．６５、ｐ＝０．３、ｑ＝１５、Ｒ＝０．２５、γ＝５５°である。本実施形態でも、導光体の材料はアクリル樹脂であり、射出成型によって形成している。
【００３４】
図６は、本発明の導光体の斜視図である。主走査方向に配列された複数のＬＥＤ２０３ａは、導光体の入射面２０３ｂに配置される。１５ｍｍの配列ピッチで並べられた複数の点光源（ＬＥＤ）２０３ａから発し、隣接する入射面２０３ｂから入射した複数の光束は、曲面反射面群である反射面２０３ｃ上の各反射点で全反射し、出射面２０３ｄから原稿面に向けて出射する。
【００３５】
反射面２０３ｃの各々は、主走査方向の曲率半径が０．２５ｍｍであり（主走査方向に有限のパワーを有する）、導光体２０３の外側に向かって凸の形状の主走査方向に正の屈折力を有するシリンダー面となっている。即ち、反射面２０３ｃの各々は、副走査方向の曲率半径が∞である（副走査方向の屈折力はゼロである）。周期的に配置された複数の光学面の配列周期（配列ピッチ）は、０．３ｍｍである。
【００３６】
図７は、本実施形態に係る原稿照明装置２０５の副走査断面図（Ｚ−Ｘ断面図）である。入射面２０３ｂから反射面２０３ｃまでの距離は９．６５ｍｍで、さらに反射面２０３ｃから原稿読取位置００１ａまでの距離は２０ｍｍである。曲面反射面２０３ｃが光源に対して成す角度は５５°である。
【００３７】
本実施形態における正反射像は図８のようになり、点列状ではなく管状光源を用いたのに近い像となるので不快感が少なくできる。図９を用いてより詳しく説明する。本実施形態によれば図９（ａ）のようにＬＥＤ１個の正反射像が主走査方向に広がっており、これを１５ｍｍピッチで配列すると、図９（ｂ）のようになり、正反射像が点列状になることを防ぐことができている。図９（ｄ）で見てもコントラストが大幅に小さいことがわかる（コントラストは１０％）。本実施形態によっても、第１の実施形態と同様に、画像読取装置の小型化が達成される。
【００３８】
第１の実施形態に比べてＬＥＤの配列ピッチｑを広げているが、これは上述した式を満たすように設計されたからである。
【００３９】
《第３の実施形態》
図１０乃至図１４を用いて、第１、第２の実施形態に比べ更に小型化を図った本実施形態の原稿照明装置３０３を説明する。本実施形態の導光体の材料はアクリル樹脂であり、射出成型によって形成している。図中の各符号で示される定数は、ｄ＝６．４、ｐ＝０．７、ｑ＝１０、Ｒ＝０．７、γ＝４０°である。
【００４０】
図１０は、本実施形態の導光体の斜視図である。主走査方向に配列された複数のＬＥＤ３０３ａは、導光体の入射面３０３ｂに配置される。１０ｍｍの配列ピッチで並べられた複数の点光源（ＬＥＤ）３０３ａから発し、隣接する入射面３０３ｂから入射した複数の光束は、曲面反射面群である反射面３０３ｃ上の各反射点で反射し、出射面３０３ｄから原稿面に向けて出射する。
【００４１】
反射面３０３ｃの各々は、主走査方向の曲率半径が０．７ｍｍであり（主走査方向に有限のパワーを有する）、導光体３０３の外側に向かって凸の形状の主走査方向に正の屈折力を有するシリンダー面となっている。即ち、反射面３０３ｃの各々は、副走査方向の曲率半径が∞である（副走査方向の屈折力はゼロである）。周期的に配置された複数の光学面の配列周期（配列ピッチ）は、０．７ｍｍである。
【００４２】
図１１は、本発明の原稿照明装置３０５の副走査断面図（Ｚ−Ｘ断面図）である。入射面１０３ｂから反射面３０３ｃまでの距離は６．４ｍｍで、さらに反射面３０３ｃから原稿読取位置００１ａまでの距離は２０ｍｍである。反射面３０３ｃが光源に対して成す角度は４０°である。アクリルの全反射角は約４２°なので、入射角４０°の光線の大部分は透過する。よって、反射面３０３ｃには反射率が７０％以上の金属薄膜としてアルミ蒸着による反射膜を付加しておく。
【００４３】
本実施形態における正反射像は図１２のように点列状ではなく、管状光源を用いたのに近い像となるので不快感が少なくできる。図１３を用いてより詳しく説明する。
本実施形態によれば図１３（ａ）のようにＬＥＤ１個の正反射像が主走査方向に広がっており、これを１０ｍｍピッチで配列すると、図１３（ｂ）のようになり、正反射像が点列状になることを防ぐことができている。図１３（ｄ）で見てもコントラストが大幅に小さいことがわかる（コントラストは１１％）。
【００４４】
本実施形態によれば、第１、第２の実施形態よりも更に入射部から反射面までの距離ｄが短い導光体となるため、図１１のように画像読取装置の小型化が達成される。特に、反射ミラー００５の配置自由度はより高くでき、原稿照明装置の副走査方向の両側に配置することもできる。本実施形態で、より短い導光体であるにも関わらず、上述のように小型化を達成できているのは、上述した式を満たすように設計されたからである。
【００４５】
（数値例）
以下の表１に数値例を示す。
【００４６】
【表１】
2014175762.tif 000003
（変形例）
以上、本発明の好ましい実施形態について説明したが、本発明はこれらの実施形態に限定されず、その要旨の範囲内で種々の変形及び変更が可能である。
【００４７】
（変形例１）
曲面反射面の曲率半径は、円筒面に限られるものではなく、２次曲線や楕円曲線で描かれる断面形状でも近似曲率が本発明の式を満たせば十分効果を発揮することができる。また、曲面反射面の凸凹関係が反転しても良い。
【００４８】
（変形例２）
上述した実施形態では、点光源群からの光束が入射する入射部と、点光源群からの光束が出射する出射部と、曲面反射面群と、を一体として導光体を示した。しかし、本発明はこれに限られない。透明で上述した式さえ満たしていれば、点光源群からの光束が入射する入射部と、点光源群からの光束が出射する出射部が、曲面反射面群の位置で兼用され、点光源群からの光束が空気層を介して曲面反射面群に導光されるものでも良い。
【００４９】
（変形例３）
曲面反射面の配列ピッチｑ、光源の配列ピッチｑは、主走査位置によって変化させても良く、その場合は少なくとも主走査方向の中央領域において、上述した式を満たせば十分効果を発揮する。
【００５０】
（変形例４）
上述した実施形態では、曲線反射面群の正反射像面におけるコントラストが１０％乃至１２％を示したが、１５％以下で在れば好ましい。
【符号の説明】
【００５１】
１０３ａ・・複数のＬＥＤ（点光源群）、１０３ｃ・・反射面（曲線反射面群）
【図１】
2014175762.tif 000004
【図２】
2014175762.tif 000005
【図３】
2014175762.tif 000006
【図４】
2014175762.tif 000007
【図５】
2014175762.tif 000008
【図６】
2014175762.tif 000009
【図７】
2014175762.tif 000010
【図８】
2014175762.tif 000011
【図９】
2014175762.tif 000012
【図１０】
2014175762.tif 000013
【図１１】
2014175762.tif 000014
【図１２】
2014175762.tif 000015
【図１３】
2014175762.tif 000016
【図１４】
2014175762.tif 000017
【図１５】
2014175762.tif 000018
【図１６】
2014175762.tif 000019
【図１７】
2014175762.tif 000020